(57)【要約】【課題】より静かに回転しても、所定の洗浄能力を発揮する回転ブラシ体を備えて、低騒音化と無傷洗浄化と高耐久性を可能とする洗車機を提供する。【解決手段】洗浄部材は、ブラシ軸に所定のブラシ材を所定の直径となるように同心状に装着した回転ブラシ体を備え、回転ブラシ体は、回転しながらブラシ周端を被洗浄車両に接触させた位置から所定の押し込み量Ｈ１を用いてブラッシング洗浄すると共に、当該回転ブラシ体の回転数を騒音が大きくならない低い目標回転数Ｒ１に設定し、当該低い目標回転数でありながら、所定の押し付け力を発揮して洗浄効果を発揮する回転ブラシ体の直径Ｄ１、および、所定の押し込み量Ｈ１とし、ブラッシング状態のブラシ先端の周速度を所定の速度とする構成とした。【選択図】図１
2012056406.tif 000002
【特許請求の範囲】
【請求項１】
洗浄部材と乾燥部材を備え、被洗浄車両と洗車機本体を前後方向に相対移動させながら洗車を行う洗車機であって、
前記洗浄部材は、ブラシ軸に所定のブラシ材を所定の直径となるように同心状に装着した回転ブラシ体を備え、
前記回転ブラシ体は、回転しながらブラシ周端を被洗浄車両に接触させた位置から、所定の押し込み量を用いてブラッシング洗浄すると共に、当該回転ブラシ体の回転数を騒音が大きくならない低い目標回転数に設定し、当該低い目標回転数でありながら、所定の押し付け力を発揮して洗浄効果を発揮する前記回転ブラシ体の直径、および、前記所定の押し込み量とし、ブラッシング状態のブラシ周端の周速度を所定の速度としたことを特徴とする洗車機。
【請求項２】
前記目標回転数が４０ｒｐｍ程度で前記接触状態のブラシ周端の周速度が６０〜７０ｍ／分であって、前記回転ブラシ体の直径が７５０〜８５０ｍｍであり、前記押し込み量が１２０〜１６０ｍｍであることを特徴とする請求項１に記載の洗車機。
【請求項３】
前記ブラシ材は紐状であって、その先端部を複数の小幅先端部に分割していることを特徴とする請求項２に記載の洗車機。
【請求項４】
前記ブラシ材は布状であって、その先端部に短冊状分割片を形成する複数の分割溝を設け、さらに、この分割片を複数の先端小片に分割していることを特徴とする請求項２に記載の洗車機。
【請求項５】
前記回転ブラシ体はトップブラシであって、水平方向に配置されるブラシ軸を備えて、上下方向に昇降自在とされることを特徴とする請求項１から４のいずれかに記載の洗車機。
【発明の詳細な説明】
【技術分野】
【０００１】
本発明は、たとえば給油所に設置され洗車に使用される洗車機に関し、特に、被洗浄車両の上面や側面をブラッシング洗浄する回転ブラシを備える洗車機に関する。
【背景技術】
【０００２】
従来、給油所などに設置されている洗車機は、被洗浄車両と洗車機本体を前後方向に相対移動させながら、被洗浄車両に貯液タンクに貯留された液剤や洗浄水を噴射して洗車を行う構成とされている。また、液剤や洗浄水を噴射しながらブラッシングして洗浄することや、洗浄後に風を吹き付けて乾燥することが行われている。
【０００３】
洗浄工程においては、先ず、洗浄水を用いて汚れを落とし、次いでシャンプーなどの液剤を用いて洗浄し、さらに洗浄水を用いて水洗いする。この洗浄工程の後で、各送風ノズルから送風して乾燥する乾燥工程が行われる。また、必要に応じてワックスや撥水コートなどの液剤塗布工程を適宜組み合わせて洗車を行う。このように、洗車の際に用いる液剤としては、各種のシャンプーやワックスやコート類が用いられており、それぞれ専用の貯液タンクに貯留され、タンク内に挿入されたチューブを介して、洗車工程の処理に応じて噴射され消費される。また、複数の洗車モードから所望のモードを選択し、使用する液剤の種類を選択して所定の洗車モードに設定する操作パネルやリモートパネルを備えている。操作パネルは洗車機本体に配設しているが、リモートパネルは洗車機本体から離れた位置に設置して、このリモートパネルと操作パネルとを電気的に接続して、リモートパネルに設定された洗車モードにより、洗車機を駆動可能にしている。
【０００４】
操作パネルやリモートパネルを備える洗車機の一例について図６を用いて説明する。この洗車機ＷＢは、複数のブラシを備える洗浄部材と、ブロワと複数の送風ノズルを備える乾燥部材とを一体に装着し、被洗浄車両ＣＡを跨ぐように門型とされる洗車機本体１を備えた構成であり、被洗浄車両ＣＡと洗車機本体１を前後方向に相対移動させながら、複数の貯液タンクに貯留された液剤をそれぞれ水により希釈して前記被洗浄車両へ噴射して、前記被洗浄車両の洗車を行う。
【０００５】
例えば、洗車機本体１が、車輪３を介してレール２上に沿って走行移動する構成とし、被洗浄車両ＣＡを、該被洗浄車両ＣＡを跨ぐ門型とされる洗車機の左右一対のレール間の所定の位置に停車して、洗車機本体１に設置する操作パネル７もしくは洗車機本体１から離れた位置に設置するリモートパネル７Ａに、所望の洗車モードを設定し、スタートボタンを操作して、洗車操作を開始する。
【０００６】
門型の洗車機本体１は、被洗浄車両ＣＡを洗浄する回転ブラシ体として、例えば、被洗浄車両ＣＡの上面を洗浄するトップブラシ４と、被洗浄車両ＣＡの両側面と前後面を洗浄する左右一対のサイドブラシ５と、被洗浄車両ＣＡの両側面下部を洗浄する左右一対のロッカーブラシ６を備えている。
【０００７】
また、ブラッシングの際に使用する洗浄水や各種液剤を噴射する各種ノズルや各種液剤を貯液する貯液タンクを備えている。各種液剤を貯液する複数の貯液タンクは、洗車機本体１に設けられるタンク収納部５０に収納されており、電磁式の開閉弁と副給水ホースを備える分配配管部５１を介して各ノズルに分配している。液剤を噴射するノズルとしては、例えば、第一浄水ノズル１１、第一洗剤ノズル１２、第二浄水ノズル１３、撥水コートノズル１４、第二洗剤ノズル１５、ワックスノズル１６などが配設されている。
【０００８】
さらに、乾燥のために、ブロワ２０と該ブロワ２０からの送風を吹き付ける昇降自在なトップ送風ノズル２１と左右一対のサイド送風ノズル２２を備えている。また、洗車機本体１に配設する操作パネル７、もしくは、洗車機本体１から離れた位置に設置するリモートパネル７Ａを介して、洗車機ＷＢの駆動条件を設定し、設定された条件に基づいて洗車機ＷＢを駆動する構成としている。８は、被洗浄車両ＣＡの有無および車高を検知するセンサであって、例えば、光電センサや超音波を利用したソニックセンサが好適に用いられる。
【０００９】
操作パネル７やリモートパネル７Ａには、水洗いモードや、洗剤を用いた洗浄モードや、ワックスを塗布するワックスモードや、撥水剤をコートする撥水モードなどの各種洗車モードを選択する選択ボタンや、ブラシの回転数を制御するブラシ回転スイッチや、スタート・ストップボタンなどが設けられている。
【００１０】
また、洗車機本体１を、洗浄部材を備えた洗浄機本体と乾燥部材を備えた乾燥機本体との別体として、それぞれが、被洗浄車両ＣＡを跨ぐように門型とされ、被洗浄車両ＣＡと洗浄機本体と乾燥機本体とを前後方向に相対移動させながら、被洗浄車両ＣＡの洗車を行う構成の洗車機も知られている。この構成であっても、各種ブラシと各種ノズルを備え、操作パネル７もしくはリモートパネル７Ａを備えていることは同じである。
【００１１】
上記した従来の洗車機ＷＢにおいては、被洗浄車両ＣＡの上面を洗浄するトップブラシ４は、車高の異なる複数タイプの被洗浄車両ＣＡの上面にブラシを当接させてブラッシングしたり、天井部とフロントウインドウ部とリヤウインドウ部を昇降移動しながらブラッシングしたりするために、車両の上下方向に昇降移動自在とされている。
【００１２】
また、車体表面や装備品を傷付けることなく洗車するために、種々の工夫がなされている。例えば、通常洗浄のための高速回転と、装備品のある部位は低速に回転させるとした回転速度制御が行われている。また、高さの異なる複数タイプの車種に対応してスムーズにブラッシングするために、高さの異なる支点を中心にして上下に揺動するアームに回転自在に装着されるブラシ体から構成される第１、第２トップブラシを設け、車高検出装置が検出した車高に応じて、第１トップノズルを用いて洗浄する第１洗浄パターンと、第２トップノズルを用いて洗浄する第２洗浄パターンとに切り換えるとした洗車機が既に本出願人から提案されている（例えば、特許文献１参照）。
【先行技術文献】
【特許文献】
【００１３】
【特許文献１】特開平１１−２２７５７６号公報
【発明の概要】
【発明が解決しようとする課題】
【００１４】
ブラシ体を回転させて洗浄する際の洗浄効果を上げるためには、適当な圧で接触させると共に適当な回転数でブラシ体を回転させることが肝要である。しかし、回転数を上げると音が大きくなり騒音問題が発生して好ましくない。また、ブラシ体の大きさ（回転半径）によって、車体表面を洗浄するブラシ先端の周速度が変わってくるので、適当な回転半径の回転ブラシ体を適当な回転速度で回転させることが、適当な洗浄効果と低騒音効果を得るためには好ましいことは明らかである。
【００１５】
回転ブラシ体は、回転軸となるブラシ軸に不織布などの布製、スポンジやゴムなどの樹脂製、または化繊製からなる布状あるいは紐状のブラシ素材を同心円状に取り付けた構成であって、ブラシ軸が回転すると、ブラシ先端が円状に広がる回転体となる。また、ブラシ先端は変形容易であるので、被洗浄車両の車体表面に押し付ける量を変えることで、その接触圧を調節することができる。
【００１６】
そのために、所定の洗浄効果を発揮するためには、所定の接触圧となるように押し付け量を調整し、所定の回転速度で回転させることが好ましい。また、騒音を出さないためには、回転数は低いほうがよいので、騒音が生じ難い低い回転数でも、所定の回転速度が得られる回転半径を有していることが好ましい。
【００１７】
すなわち、騒音問題を生じない程度の低い回転数で回転して、所定の洗浄効果を発揮するためには、回転ブラシ体の直径と、押し付け量と、回転速度と、の三つの条件をそれぞれ適当な値とすることが肝要となる。
【００１８】
また、低騒音と所定の洗浄効果に加えて、車両装備品を損傷せず、ブラシ体も傷付けずに耐久性を発揮する洗浄機能を有する洗車機であることが望ましい。
【００１９】
本発明は、上記問題点に鑑み、より静かに回転しても、所定の洗浄能力を発揮する回転ブラシ体を備えて、低騒音化と無傷洗浄化と高耐久性を可能とする洗車機を提供することを目的とする。
【課題を解決するための手段】
【００２０】
上記目的を達成するために本発明は、洗浄部材と乾燥部材を備え、被洗浄車両と洗車機本体を前後方向に相対移動させながら洗車を行う洗車機であって、前記洗浄部材は、ブラシ軸に所定のブラシ材を所定の直径となるように同心状に装着した回転ブラシ体を備え、前記回転ブラシ体は、回転しながらブラシ周端を被洗浄車両に接触させた位置から、所定の押し込み量を用いてブラッシング洗浄すると共に、当該回転ブラシ体の回転数を騒音が大きくならない低い目標回転数に設定し、当該低い目標回転数でありながら、所定の押し付け力を発揮して洗浄効果を発揮する前記回転ブラシ体の直径、および、前記所定の押し込み量とし、ブラッシング状態のブラシ先端の周速度を所定の速度としたことを特徴としている。
【００２１】
この構成によると、目標回転数が騒音を出さない低い回転数でありながら、ブラシ先端を所定の押し込み量で所定の周速度でブラッシングすることで、所定の洗浄能力を発揮可能な洗車機を得ることができる。そのために、低い回転数で回転ブラシ体を回転するので低騒音化と無傷洗浄化と高耐久性が実現できる。
【００２２】
また本発明は、上記構成の洗車機において、前記目標回転数が４０ｒｐｍ程度で前記接触状態のブラシ先端の周速度が６０〜７０ｍ／分であって、前記回転ブラシ体の直径が７５０〜８５０ｍｍであり、前記押し込み量が１２０〜１６０ｍｍであることを特徴としている。この構成によると、回転ブラシ体の直径が７５０ｍｍ〜８５０ｍｍの場合に、回転しても騒音が気にならない程度の回転数（４０ｒｐｍ程度）としても、接触状態のブラシ先端の周速度が６０〜７０ｍ／分となる押し込み量（１２０〜１６０ｍｍ）とすることで、所定の洗浄効果を得ることができる。
【００２３】
また本発明は、上記構成の洗車機において、前記ブラシ材は紐状であって、その先端部を複数の小幅先端部に分割していることを特徴としている。この構成によると、紐状の先端部をさらに細かく分割することで、車体表面に優しく均一に接触し、保水性も向上して、きめの細かい洗浄が可能となる。
【００２４】
また本発明は、上記構成の洗車機において、前記ブラシ材は布状であって、その先端部に短冊状分割片を形成する複数の分割溝を設け、さらに、この分割片を複数の先端小片に分割していることを特徴としている。この構成によると、布状であっても、その先端部を短冊状に一旦分割し、さらに、この短冊状部を先端小片に細かく分割することで、車体表面に優しく均一に接触し、保水性も向上して、きめの細かい洗浄が可能となる。
【００２５】
また本発明は、上記構成の洗車機において、前記回転ブラシ体はトップブラシであって、水平方向に配置されるブラシ軸を備えて、上下方向に昇降自在とされることを特徴としている。この構成によると、被洗浄車両の車体表面に当接する押し込み量を所定の深さとすることが容易にできる。また、水平なブラシ軸を低い回転数で回転し、被洗浄車両の上面に沿って上下方向に昇降移動しながら被洗浄車両の上面を静かに、また、確実に洗浄することができる。
【発明の効果】
【００２６】
本発明によれば、回転ブラシ体の回転数を騒音が大きくならない低い目標回転数に設定し、当該低い目標回転数でありながら、洗浄効果を発揮する所定の押し付け力で所定のブラシ周端の周速度としているので、所定の洗浄能力を発揮する回転ブラシ体を備えて、低騒音化と無傷洗浄化と高耐久性を可能とする洗車機を得ることができる。
【図面の簡単な説明】
【００２７】
【図１】本発明に係る洗車機が備える回転ブラシ体の作動状態を示す概略正面図である。
【図２】本発明に係る洗車機が備える回転ブラシ体の作動状態を示す概略側面図である。
【図３】ブラシ先端の構成例を説明する概略説明図であって、（ａ）は短冊状のブラシ先端を示し、（ｂ）は布状のブラシ先端を示す。
【図４】洗車の際に回転ブラシ体の回転数を示す概略側面図であって、（ａ）は本発明に係る回転ブラシ体の回転数を示し、（ｂ）は従来の回転ブラシの回転数を示す。
【図５】洗車機の概略正面図である。
【図６】洗車機の全体構成を示す概略説明図である。
【発明を実施するための形態】
【００２８】
以下に本発明の実施形態を図面を参照して説明する。また、同一構成部材については同一の符号を用い、詳細な説明は適宜省略する。
【００２９】
本実施形態の洗車機ＷＡは、洗車機本体と被洗浄車両とを前後方向に相対移動させながら、被洗浄車両の洗車を行う洗車機であって、先に説明した図６に示す洗車機ＷＢと同様な構成とされている。ただ、洗浄部材である回転ブラシ体が、より低速回転で所定の洗浄効果を発揮する構成としたものである。そこで、本実施形態では、前述したトップブラシ４に替えて、より低速で回転しても洗浄効果を発揮するトップブラシ４Ａを用いる構成とした。そのために、図５に示すように、車輪３を介してレール２上に沿って走行移動する門型の洗車機本体１にブラッシング洗浄する回転ブラシ体として、被洗浄車両ＣＡの上面を洗浄するトップブラシ４と、被洗浄車両ＣＡの両側面と前後面を洗浄する左右一対のサイドブラシ５と、被洗浄車両ＣＡの足回りを洗浄するロッカーブラシ６を備え、乾燥のために、ブロワ２０と該ブロワ２０からの送風を吹き付ける昇降自在なトップ送風ノズル２１と左右一対のサイド送風ノズル２２を備えた構成は同じである。
【００３０】
８Ａは、被洗浄車両ＣＡのボンネット高さを検知するボンネット高さ検知センサであって、前述した被洗浄車両ＣＡの有無および車高を検知するセンサ８と同様に光電式もしくは超音波式の反射型センサを用いることができる。また、これらのセンサの配設位置を考慮して一個のセンサを兼用して被洗浄車両ＣＡの有無とボンネット高さを検知することも可能である。
【００３１】
また、ボンネット高さ検知センサ８Ａに替えて透過式光電センサからなる車形検出センサ（不図示）を用いることもできる。この場合には、洗車機本体の一方の側部の上下方向に投光器を併設し、これらの投光器に対向する他方の側部の上下方向に受光器を併設することで、洗浄位置に進入してくる被洗浄車両の車形およびボンネット高さを検知する。
【００３２】
左右一対のサイドブラシ５（５Ａ、５Ｂ）は、洗車機本体１の上部の幅方向に配設される走行レールに、被洗浄車両の正面側から見た左右方向に移動自在に吊り下げ状態に支持され、且つ、それぞれのブラシ軸がそれぞれ走行ホルダーに回転自在に支持されて構成されている。また、トップブラシ４Ａは、図示しない支持装置を介して昇降自在で回転可能に支持されている。
【００３３】
次に、本実施形態に係る洗車機ＷＡが備えるトップブラシ４Ａの操作状況について図１を用いて説明する。
【００３４】
トップブラシ４Ａは、被洗浄車両ＣＡの上面を洗浄する回転ブラシ体であって、洗車機本体１に図示しない支持部材を介して、図中の矢印ＶＨ方向に昇降自在に、また、矢印ＲＷ方向に回転自在に支持されている。
【００３５】
洗車機本体１は、車輪３を介してレール２上に沿って走行移動するので、トップブラシ４Ａを図に示すように、押し込み量Ｈ１押し込んで回転速度Ｒ１で回転させながら洗車機本体１を走行移動して、被洗浄車両ＣＡの上面の全面を洗浄することができる。
【００３６】
本実施形態では、回転ブラシ体の回転数を騒音が大きくならない低い目標回転数に設定し、当該低い目標回転数でありながら、ブラッシング状態のブラシ周端の周速度を所定の速度とし、且つ、所定の押し付け力を発揮して洗浄効果を発揮する回転ブラシ体の直径、および、前記所定の押し込み量としたものである。
【００３７】
つまり、トップブラシ４Ａの直径Ｄ１を所定範囲の大きさとし、押し込み量Ｈ１を所定の大きさとし、回転速度Ｒ１を所定の低い目標回転数とし、目標回転数が騒音を出さない低い回転数でありながら、ブラシ先端を所定の押し込み量を用いて所定の周速度でブラッシングすることで、所定の洗浄能力を発揮可能な洗車機ＷＡを得ることができる。
【００３８】
上記した構成であれば、低い回転数で回転ブラシ体を回転するので低騒音化と無傷洗浄化と高耐久性が実現できる。
【００３９】
次に、トップブラシの回転数について図４を用いて説明する。
【００４０】
図４（ｂ）に、従来構成のトップブラシ４の回転数を示すが、装備品も障害物もない上面や両端部は高速回転の回転数Ｒ２でブラッシングする。しかし、フロントウインドウ部やリヤウインドウ部では、ワイパなどの装備品を損傷しないようにより低速な回転数Ｒ１でブラッシングしている。
【００４１】
通常、より低速な回転数Ｒ１は４０ｒｐｍ程度であり、高速な回転数Ｒ２は１３０ｒｐｍ程度である。また、この際に、１３０ｒｐｍでは回転中の騒音が大きいが、より低速な４０ｒｐｍでは、騒音とは感じられず、比較的静かである。
【００４２】
そのために、本実施形態では、図４（ａ）に示すように、ブラッシングの際の低騒音化と無傷洗浄化のために、被洗浄車両ＣＡの上面や両端部もより低速な回転数Ｒ１でブラッシングする構成とした。また、より低速であっても、所定の洗浄効果を発揮するために、図２に示すように、所定の直径Ｄ１とし、所定の押し込み量Ｈ１を用い、所定の回転数Ｒ１とするトップブラシ４Ａを用いる構成とした。
【００４３】
所定の洗浄効果を発揮するためには、ブラッシングするブラシ先端が車体表面を擦る力（接触圧）と擦るスピード（周速度）が重要な項目であるので、所定の押し込み量Ｈ１を規定して所定の接触圧を発揮し、所定の直径Ｄ１と所定の回転数Ｒ１を規定して所定の周速度を発揮する構成とした。
【００４４】
そこで、目標回転数が４０ｒｐｍ程度のときに、所定の洗浄効果を発揮する回転ブラシ体の大きさと押し込み量の大きさを検討した結果、回転ブラシ体の直径Ｄ１が７５０〜８５０ｍｍ程度で、押し込み量Ｈ１が１２０〜１６０ｍｍ程度で、接触状態のブラシ先端の周速度が６０〜７０ｍ／分程度がよいことが判った。
【００４５】
この構成であれば、回転ブラシ体の直径が７５０ｍｍ〜８５０ｍｍの場合に、回転しても騒音が気にならない程度の回転数（４０ｒｐｍ程度）としても、ブラッシングする部分のブラシ周端の周速度が６０〜７０ｍ／分となる押し込み量（１２０〜１６０ｍｍ）とすることで、所定の洗浄効果を得ることができる。
【００４６】
また、ブラシ先端の接触圧と周速度に加えて、ブラシ材の先端構造も重要であるので、本実施形態では、比較的低い回転速度でも、所定の洗浄効果を発揮するために、ブラシ先端を細かく分割する構成とした。
【００４７】
例えば、図３（ａ）に示すように、スポンジや樹脂材からなる紐状や短冊状のブラシ材４１を用いる際には、その先端部に複数の切り込みを入れて、複数の小幅先端部４１ａに分割する。この切り込みの長さＬ２は、所定の押し込み量Ｈ１より短い長さが好ましく、例えば、押し込み量Ｈ１の半分程度以上（１／２以上）がよく、押し込み量Ｈ１が１２０〜１６０ｍｍのときＬ２＝７０〜８０ｍｍ程度としている。
【００４８】
このように、紐状や短冊状のブラシ材４１であっても、押し込み量Ｈ１より短い長さで、先端部をさらに細かく分割して複数の小幅先端部４１ａを形成することで、洗い残しが生じる状態に先割れせず、車体表面に優しく均一に接触し、保水性も向上して、きめの細かい洗浄が可能となる。
【００４９】
また、図３（ｂ）に示すように、ゴムシートや不織布などの布状のブラシ材４２を用いる場合には、その先端部を粗く一旦分割し、この分割片それぞれをさらに細かく分割する構成としている。すなわち、長さＬ１の分割溝４３を介して複数の短冊状分割片４２ａを作製し、この分割片４２ａに長さＬ２の切り込み４２ｂを入れて多数の先端小片４２ｃに分割する。
【００５０】
また、分割溝４３の長さＬ１は、例えば押し込み量Ｈ１と同程度か少し長い長さとし、切り込み長さＬ２は、紐状のブラシ材に設けた切り込み長さと同様に７０〜８０ｍｍ程度がよい。このように、布状のブラシ材４２であっても、その先端部を短冊状に一旦分割し、さらに、この短冊状部を押し込み量Ｈ１より短い長さで先端小片４２ｃに細かく分割することで、車体表面に優しく均一に接触し、保水性も向上して、きめの細かい洗浄が可能となる。
【００５１】
上記したように、そのブラシ先端が押し込み量より短い長さで細かく分割されたブラシ材を用いた構成であれば、ブラシが布ブラシであってもスポンジブラシであっても洗浄する際に先端が拡がって車体表面に接するので、保水性が向上しきめの細かい洗浄が可能となって高い洗浄効果を発揮することが可能となる。
【００５２】
そのために、ブラシ回転体がより低速回転であっても、一定の洗浄効果を発揮する。さらに、ブラッシングするブラシ先端が車体表面を擦る力（接触圧）と擦るスピード（周速度）を所定の大きさとする所定の直径Ｄ１と所定の回転数Ｒ１であれば、所定の洗浄効果を得ることができる。
【００５３】
次に、上記構成のトップブラシ４Ａを用いて洗浄性を確認した実験結果について表１を用いて説明する。
【００５４】
【表１】
2012056406.tif 000003
ただし、Ｒ１＝４０ｒｐｍとしている。
【００５５】
上面が少し湾曲した車体上面に対応して中央部が少し小径となっている通常の回転ブラシ１と、中央とサイドとで同じ径とした回転ブラシ２とで、実験した。ブラシ１では、Ｈ１＝８０ｍｍでは洗浄性（×）はよくないが、Ｈ１＝１２０ｍｍまで押し込むと洗浄性が良化（○）した。しかし、Ｈ１＝１６０ｍｍまで強く押し込むと、洗浄性はよいが、押し込み力が強くなり過ぎてしまい、車体表面を傷付けたり、ブラシを傷付けたりする虞が生じて好ましくない結果（△）となった。
【００５６】
ブラシ２では、Ｈ１＝８０、１２０ｍｍで、共に洗浄性（×）は芳しくなかった。しかし、Ｈ１＝１６０ｍｍまで押し込むとよい洗浄性（○）が得られた。これは、直径８５０ｍｍのブラシ体を１６０ｍｍ押し込むと良い洗浄性が得られるが、直径７５０ｍｍのブラシ体では、１６０ｍｍまで押し込むと押し込み力が強くなり過ぎることを示している。
【００５７】
上記の結果から、回転ブラシ体の直径が７５０ｍｍ〜８５０ｍｍの場合に、回転数４０ｒｐｍ程度で、押し込み量を１２０〜１６０ｍｍとすることで、所定の洗浄効果を発揮することが判る。また、回転ブラシ体の直径が７５０ｍｍで押し込み量が１２０ｍｍで４０ｒｐｍのときはその接触状態のブラシ周端の周速度は６４ｍ／分程度であり、回転ブラシ体の直径が８５０ｍｍで押し込み量が１６０ｍｍで４０ｒｐｍのときはその接触状態のブラシ周端の周速度は６７ｍ／分程度となるので、６５ｍ／分程度がよいことが判る。また、±５ｍｍを勘案して６０〜７０ｍ／分程度の周速度範囲が好ましいといえる。
【００５８】
以上、本発明に係る回転ブラシ体としてトップブラシ４Ａを用いて説明したが、トップブラシ以外の回転ブラシにも適用することができる。すなわち、従来、騒音が生じる比較的速い回転数で洗浄している回転ブラシに、本実施形態に係る回転ブラシを用いることで、騒音が生じ難いより低い回転数でも、所定の洗浄効果を発揮することが可能となる。
【００５９】
また、この回転ブラシがトップブラシであれば、水平方向に配置されるブラシ軸を備えて、上下方向に昇降自在とされる構成になり、被洗浄車両の車体表面に当接する押し込み量を所定の深さとすることが容易にできて好ましい。また、水平なブラシ軸を低い回転数で回転し、被洗浄車両の上面に沿って上下方向に昇降移動しながら被洗浄車両の上面を静かに、また、確実に洗浄することができる。
【００６０】
より低い回転数で洗浄効果が発揮できれば、低騒音化が可能となることに加えて、車両装備品を損傷しない効果を発揮し、さらに、ブラシ体も傷付けずに回転ブラシ体の耐久性を発揮する。そのために、低騒音化と無傷洗浄化と高耐久性を可能とする洗車機を得ることができる。
【００６１】
以上、説明したように、本実施形態に係る洗車機ＷＡは、洗浄部材と乾燥部材を備え、被洗浄車両と洗車機本体を前後方向に相対移動させながら洗車を行う洗車機であって、洗浄部材として用いる回転ブラシ体は、回転しながらブラシ周端を被洗浄車両に接触させた位置から所定の押し込み量を用いてブラッシング洗浄すると共に、当該回転ブラシ体の回転数を騒音が大きくならない低い目標回転数に設定し、当該低い目標回転数でありながら、所定の押し付け力を発揮して洗浄効果を発揮する前記回転ブラシ体の直径、および、前記所定の押し込み量とし、ブラッシング状態のブラシ先端の周速度を所定の速度としている。
【００６２】
そのために、目標回転数が騒音を出さない低い回転数でありながら、ブラシ先端を所定の押し込み量を用いて所定の周速度でブラッシングすることで、所定の洗浄能力を発揮可能な洗車機を得ることができる。
【００６３】
また、ブラシ先端を細かく分割しているので、ブラシが布ブラシであってもスポンジブラシであっても洗浄する際に先端が拡がって車体表面に接し、保水性が向上して、きめの細かい洗浄が可能となって高い洗浄効果を発揮する。
【００６４】
上記したように本発明に係る洗車機によれば、低い回転数で回転ブラシ体を回転するので低騒音化と無傷洗浄化と高耐久性が実現できる。
【産業上の利用可能性】
【００６５】
そのために、本発明に係る洗車機は、静音化や安全性や高耐久性が求められる洗車場の洗車機として好適に適用される。
【符号の説明】
【００６６】
１    洗車機本体
２    レール
３    車輪
４、４Ａ  トップブラシ（回転ブラシ体）
４１    ブラシ材（紐状）
４２    ブラシ材（布状）
Ｄ１    回転ブラシ体の直径
Ｈ１    押し込み量
Ｒ１    より低速な回転数（目標回転数）
Ｒ２    高速な回転数
ＣＡ    被洗浄車両
ＷＡ    洗車機
【図１】
2012056406.tif 000004
【図２】
2012056406.tif 000005
【図３】
2012056406.tif 000006
【図４】
2012056406.tif 000007
【図５】
2012056406.tif 000008
【図６】
2012056406.tif 000009